(57)【要約】【課題】宅配便などで顧客に商品を届けた際に、同時に広告ができ、更に簡単にその広告の商品やサービスなどの申し込みの手続きを行えるようにした配送伝票を提供する。【解決手段】裏面に形成された粘着剤層により、配送物に貼付する基材シートと、前記基材シートの上側に接着された表示用シートと、からなり、前記表示用シートは、貼付票部と、配達票部と、葉書部と、がスリットを堺に並んで設けられ、前記表示用シートと前記基材シートとの間に接着剤層が設けられ、前記配達票部及び前記葉書部の裏面に剥離剤層が設けられ、前記配達票部及び前記葉書部が前記基材シートから剥離可能な状態で貼付され、前記基材シートの上面領域であって、前記葉書部が重ねられている領域に、広告情報が表示され、前記葉書部の裏面に、前記配送物の受取人が申し込み情報を記入するための申込欄が表示され、前記葉書部の表面に宛名情報が表示されている。【選択図】        図１
2010228281.tif 000002
【特許請求の範囲】
【請求項１】
裏面に形成された粘着剤層により、配送物に対して直接貼付する基材シートと、前記基材シートの上側に接着された表示用シートと、からなる配送伝票であって、前記表示用シートは、貼付票部と、配達票部と、葉書部と、がスリットを堺にして横方向に並んで設けられており、前記表示用シートと前記基材シートとの間に接着剤層が設けられていると共に、前記表示用シートの配達票部及び葉書部の裏面に剥離剤層が設けられていることで、前記配達票部及び前記葉書部が前記基材シートから剥離可能な状態で貼付され、前記基材シートの上面領域であって、前記表示用シートの葉書部が重ねられている領域に、前記配送物の受取人に対する広告情報が表示され、前記表示用シートの葉書部の裏面に、前記配送物の受取人が、前記広告情報で提供された広告に関する商品又はサービスの申し込み情報を記入するための申込欄が表示され、前記表示用シートの葉書部の表面に、前記商品又はサービスの申し込み先の宛名情報が表示されていることを特徴とする配送伝票。
【発明の詳細な説明】
【技術分野】
【０００１】
本発明は、宅配荷物や配送商品を運送業者が配送する際に、それらの配送物に貼付して使用する配送伝票に関する。
【背景技術】
【０００２】
従来、宅配荷物や配送商品を運送業者が配送する際に、それらの配送物に配送伝票を貼付するなどして処理している。
それらの配送伝票としては、種々の構成のものが知られている。（例えば、特許文献１〜４、参照）
近年、インターネットなどの通信技術の発展も影響して、特にネット上で商品の購入を行い、それらの購入商品を、宅配便を使用して届ける通信販売の利用が増えていることからも、運送会社が取り扱う配送物も多くなっており、運送業者は、取り扱う多くの配送物を、いかに効率的に短時間で処理すべきかといった課題を抱えている。
【０００３】
例えば、配送物に貼付させて使用する配送伝票には、配送物のお届け先を記載して、配送物に貼付させた状態のまま、受取人に渡すことで、受取人が配送物を受け取り後にも、その配送物が誰から送ってきたものであるのかを確認可能とするための貼付票や、また、運送業者が配送物を受取人に配送した際に、その受取人が受け取ったことを証明するサインや捺印をもらうための受領印欄などが表示された配達票が設けられている。
【０００４】
近年、配送伝票は、コスト削減や省資源化などを図ることからも、できるだけ少ない用紙により目的を達成するために、１枚のシート状の配送伝票を用いる傾向がある。
これらのシート状の配送伝票では、受領票を剥離可能な状態とするために、配送伝票の基材シート上に設けた受領票との間を全面的に擬似接着させることで、必要に応じて受領票を摘み上げることで受領票を剥がせる構成としている場合が多い。
【０００５】
特に、通信販売による販売で申し込みがあった商品に関連した商品についても販売促進を図る場合には、商品を申込者の自宅などに宅配便で届けた際に、その届けた商品に関連した商品に関する広告を行って、顧客の購買意欲を高めるようにすることが大切である。
しかしながら、従来の配送伝票では広告を行ったり、広告した商品やサービスに対する申し込みを行なえないために、後日にあらためてダイレクトメールなどを顧客に郵送するなどして販売促進を行うなどしなければならず、顧客に対してタイミングよく効率的な販売促進を行うことができないという問題がある。
【先行技術文献】
【特許文献】
【０００６】
【特許文献１】特開２００１−３５３９８６号公報
【特許文献２】特開２００２−１２７６４４号公報
【特許文献３】特開２００２−１４４７６７号公報
【特許文献４】特開２００８−１２６９２号公報
【発明の概要】
【発明が解決しようとする課題】
【０００７】
そこで、本発明は、宅配便などで顧客の自宅に商品を届けた際に、同時に商品やサービスなどの広告をできるようにすると共に、その顧客が簡単にその広告の商品やサービスなどの申し込みの手続きを行えるようにした配送伝票を提供する。
【課題を解決するための手段】
【０００８】
本発明の配送伝票は、裏面に形成された粘着剤層により、配送物に対して直接貼付する基材シートと、前記基材シートの上側に接着された表示用シートと、からなる配送伝票であって、前記表示用シートは、貼付票部と、配達票部と、葉書部と、がスリットを堺にして横方向に並んで設けられており、前記表示用シートと前記基材シートとの間に接着剤層が設けられていると共に、前記表示用シートの配達票部及び葉書部の裏面に剥離剤層が設けられていることで、前記配達票部及び前記葉書部が前記基材シートから剥離可能な状態で貼付され、前記基材シートの上面領域であって、前記表示用シートの葉書部が重ねられている領域に、前記配送物の受取人に対する広告情報が表示され、前記表示用シートの葉書部の裏面に、前記配送物の受取人が、前記広告情報で提供された広告に関する商品又はサービスの申し込み情報を記入するための申込欄が表示され、前記表示用シートの葉書部の表面に、前記商品又はサービスの申し込み先の宛名情報が表示されていることを特徴とする。
【発明の効果】
【０００９】
したがって、本発明の配送伝票は、表示用シートの葉書部が基材シートから剥離可能に貼付され、その葉書部を剥離させた部分の基材シートの表面に配送物の受取人に対する広告情報が表示されており、更に、表示用シートの葉書部の裏面に、広告情報で提供された広告に関する商品又はサービスの申し込み情報を記入するための申込欄が表示され、また、表示用シートの葉書部の表面に商品又はサービスの申し込み先の宛名情報が表示されているので、宅配便などで顧客の自宅に商品を届けた際に、同時に商品やサービスなどの広告を提供できると共に、その顧客が、その広告の商品やサービスなどの申し込みを行なう場合にも、表示用シートの葉書部に申し込み情報を記入してそのまま葉書を郵便ポストに投函するだけで、簡単に申し込みの手続きを行えるので利便性が高いという効果がある。
【図面の簡単な説明】
【００１０】
【図１】本発明の実施形態に係る配送伝票の表面側の平面図である。
【図２】本発明の実施形態に係る配送伝票を構成する表示用シートと基材シートを分離させた図であって、（ａ）は、表示用シートの表面側の平面図、（ｂ）は、基材シートの表面側の平面図である。
【図３】図１のＡ−Ａ線断面図である。
【図４】本発明の実施形態に係る配送伝票を配送物に貼付させて使用する使用方法を説明するための断面図である。
【図５】本発明の実施形態に係る配送伝票であって、表示用シートの葉書部を基材シートから剥離させた状態を示す平面図である。
【発明を実施するための形態】
【００１１】
以下、本発明の実施形態に係る配送伝票を図面に基づいて詳細に説明する。
図１から図３に示すように、本発明の実施形態に係る配送伝票１は、裏面に形成された粘着剤層５により、配送物１４に対して直接貼付する基材シート２と、基材シート２の上側に重ねられて接着された表示用シート３と、基材シート２の裏面に形成された粘着剤層５に剥離可能に貼付された剥離シート４と、から構成されている。
最上位にある表示用シート３には、貼付票部３ａと、配達票部３ｂと、葉書部３ｃと、が２本のスリット６ａ，６ｂを堺にして横方向に並んで設けられている。
また、配達票部３ｂ及び葉書部３ｃには、基材シート２から剥離する際に指で摘みやすくするためのコーナーカット部７ａ，７ｂが、それぞれの角部に設けられている。
尚、必要に応じて、表示用シート３の上側に他の伝票を重ね合わせて使用してもよく。
【００１２】
基材シート２及び表示シート３としては、充分な強度とプリンターによる印字適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであってもよい。
基材シート２及び表示シート３の厚さは、通常は２０〜２００μｍ程度が好ましい。
更に、控票などを配送伝票１の上に重ねた場合に、複写特性をもたせるために、ロイコ系染料などからなる感熱発色層を設けてもよい。
【００１３】
図３に示すように、表示用シート３と基材シート２との間には、接着剤層８が設けられているが、その接着剤層８の上側であって、表示用シート３の配達票部３ｂ及び葉書部３ｃの裏面には、それぞれ剥離剤層９が設けられている。
この剥離剤層９によって、表示用シート３の貼付票部３ａだけが接着剤層８により、基材シート２の上側で接着された状態のまま剥離できないようになっている。
また、配達票部３ｂ及び葉書部３ｃについては、図４に示すように、配送物１４に配送伝票１を貼付させて宅配便などで配送され、受取人に届けられた際に、配達人や受取人によって配達票部３ｂ及び葉書部３ｃを剥離できるように構成されている。
【００１４】
尚、剥離した配達票部３ｂは、宅配便の配達人が受取人から受領印などを押印してもらった後に受け取り持ち帰るが、葉書部３ｃについては、受取人が必要に応じて剥離させて葉書として使用できるように用意されている。
また、基材シート２の上面であって、基材シート２と接着剤層８との間には、接着剤層８の接着剤が基材シート２に浸透することを防止するために目止め剤層１０を設けることが好ましい。
【００１５】
剥離剤層９の剥離剤としては、配達票部３ｂ及び葉書部３ｃが基材シート基材２から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂及びこれらの混合物からなるフィルムでもよい。
また、ポリウレタン等の熱硬化性樹脂等から形成されたフィルムを用いてもよい。
さらに、所望に応じて、酸化防止剤、熱安定剤、紫外線吸収剤、スリップ剤、帯電防止剤、防曇剤、着色剤、フィラー等が添加されていてもよい。
剥離剤層９を形成するための樹脂の塗布量・塗布厚は特に限定されないが、好ましくは、塗布量は０．１〜１０μｍである。
【００１６】
粘着剤層５は、配送物１４に配送伝票１を貼付可能とする層であり、アクリル系粘着剤が最も好ましいが、天然ゴム系粘着剤、合成ゴム系粘着剤、シリコーンゴム系粘着剤等でもよい。
粘着剤層５を形成するための粘着剤の塗布量・塗布厚は特に限定されないが、好ましくは、塗布量は０．１〜５０ｇ／ｍ2であり、塗布厚は０．１〜５０μｍである。
荷物等の被着体に対する粘着剤層５の接着力は、接着剤層８と剥離層９との接着剤力よりも大きくする必要があり、荷物等の被着剤に応じて、適宜、調整が必要である。
【００１７】
基材シート２の上面領域であって、表示用シート３の葉書部３ｃが重ねられている領域には、配送物の受取人に対する広告情報が表示されている広告情報表示部１１が設けられている。
また、図５には、表示用シート３の葉書部３ｃを基材シート２からめくり返した状態の図が示されているが、図５に示すように、表示用シート３の葉書部３ｃの裏面には、配送物の受取人が、その広告情報表示部１１に表示されている広告情報で提供された広告に関する商品又はサービスの申し込み情報を記入するための申込欄が表示されている申込欄表示部１２が設けられている。
更に、表示用シート３の葉書部３ｃの表面には、商品又はサービスの申し込み先の宛先情報が表示されている宛先情報表示部１３が設けられている。
【００１８】
図５に示すように、本発明の配送伝票１では、単に配送伝票に葉書部３ｃが設けられているだけではなく、葉書部３ｃを基材シート２から剥離させた場合に、基材シート２の上面に表示されている広告情報を受取人が見ることができ、更に、その広告情報に基づいて、広告の商品やサービスなどの申し込みを行なう場合でも、剥離させた葉書部３ｃに申し込み情報を記入した後に郵便ポストに投函するだけで、簡単に申し込みの手続きを行えるように構成されている。
【００１９】
次に、本発明の配送伝票１の使用方法として、例えば、通信販売業者が商品の購入申し込みのあった顧客に対して、宅配便を利用して商品を届ける場合を例に配送伝票１の使用方法の説明をする。
この場合に、通信販売業者は、予め宅配便に使用するための配送伝票１を多数用意するが、その際に、基材シート２の広告情報表示部１１に顧客に対して広告を行いたいと思う広告情報を印刷などで表示させておく。
また、表示用シート３の葉書部３ｃの表面には、その通信販売業者側の宛先情報を表示させ、更に、葉書部３ｃの裏面には、広告情報表示部１１に表示されている広告情報で提供された広告に関する商品又はサービスの申し込み情報を記入するための申込欄が表示されている申込欄表示部１２も印刷などで予め表示させておく。
【００２０】
そして、通信販売業者は、顧客から商品の購入申し込みがあった場合に、宅配便を利用してその商品を配送する際にその配送伝票１を利用する。
この場合に、配送伝票１の剥離シート４を剥離させて、粘着剤層５により配送物１４の所定位置に配送伝票１を貼付させる。
そして、配送伝票１を貼付させた配送物１４を、配送業者に対して配送依頼することで、顧客に届けてもらう。
【００２１】
配送業者は、配送物１４を受取人に届けた際に、配達票部３ｂを剥離させて配達票部３ｂの受領印欄に受取人から受領印などを押印してもらい、配達票部３ｂを持ち帰る。
そして、配送物１４の受取人は、基材シート２上から葉書部３ｃを剥離させる。
基材シート２上から葉書部３ｃを剥離させると、基材シート２の上面には広告情報が表示されているので、受取人が広告を見ることができる。
そして、その広告情報に基づいて、商品の受取人が、広告の商品やサービスなどの申し込みを行なう場合には、剥離させた葉書部３ｃの裏面に表示されている申込欄表示部１２に申し込み情報を記入して、その葉書を郵便ポストに投函することで申し込みを行なう。
【００２２】
上記のように、本発明の配送伝票１では、配送伝票１を使用する配送依頼者毎に予め顧客に広告を行いたいと希望する広告情報の表示や、申込先の宛先情報などを表示させておくことで、配送時に所望の広告を顧客に提供することができ、更に配送伝票に設けられた葉書部３ｃを用いて直ぐに簡単に申し込み手続きを行うことができる。
【符号の説明】
【００２３】
１  配送伝票
２  基材シート
３  表示用シート
３ａ  貼付票部
３ｂ  配達票部
３ｃ  葉書部
４  剥離シート
５  粘着剤層
６ａ，６ｂ  スリット
７ａ，７ｂ  コーナーカット部
８  接着剤層
９  剥離剤層
１０  目止め剤層
１１  切り欠き
１２  申込欄表示部
１３  宛先情報表示部
１４  配送物
【図１】
2010228281.tif 000003
【図２】
2010228281.tif 000004
【図３】
2010228281.tif 000005
【図４】
2010228281.tif 000006
【図５】
2010228281.tif 000007